(57)【要約】【課題】撮影者が、動画撮影中に静止画撮影を実行する際に、合焦済みの状態から直ちに静止画を撮影する撮影モードに適した操作感触を与えられるようにした撮影操作装置を搭載した撮像装置を提供する。【解決手段】回動操作部を有する撮影モードの切り換えレバー６を操作して動画撮影モードに設定した際に、合焦動作スイッチ接片３をＯＮ状態に移行し又は合焦動作スイッチ接片３をレリーズ釦１の操作柱１aの動作範囲から離脱させるように構成する。これにより動画撮影中に静止画撮影をするため、レリーズ釦１を押下した際に、レリーズ釦１が半押し動作を省略して全押し動作を行うようにする。この結果、動画撮影中に静止画撮影を実行する際に、撮影者は、実際に行われない合焦動作をさせるための操作感を感じることなく、レリーズ釦１を全押しすることにより静止画撮影をすることができる。【選択図】図２
2010134031.tif 000002
【特許請求の範囲】
【請求項１】
操作柱を設けた押し釦スイッチと、
前記押し釦スイッチが半押し操作されたときに、前記操作柱に押下されて弾性変形しＧＮＤ接片に接触して合焦動作用のスイッチをＯＮ状態とするように構成された合焦動作スイッチ接片と、
前記押し釦スイッチが半押し操作からさらに全押し操作されたときに、前記操作柱に押下された合焦動作スイッチ接片及びＧＮＤ接片が弾性変形して接触することにより撮影動作用のスイッチをＯＮ状態とするように構成された撮影動作スイッチ接片と、
前記押し釦スイッチの周りを回動するよう操作されることにより静止画撮影モードと動画撮影モードとを切り換え可能に構成された、回動操作部を有する回動スイッチと、
前記回動操作部から前記合焦動作スイッチ接片に対向するように突設されたカム部の自由端面部に形成されたカム面と、
を備え、
前記回動スイッチが動画撮影モードの位置に回動操作されたときに、前記カム部の前記カム面が前記合焦動作スイッチ接片に摺接して弾性変形させることにより、前記ＧＮＤ接片に接触させて合焦動作用のスイッチをＯＮとした状態に設定するよう構成したことを特徴とする撮影操作装置を搭載した撮像装置。
【請求項２】
前記合焦動作スイッチ接片、前記ＧＮＤ接片及び前記撮影動作スイッチ接片は、スイッチ支持台に基端部が固定されて片持梁状に構成されていることを特徴とする請求項１記載の撮影操作装置を搭載した撮像装置。
【請求項３】
操作柱を設けた押し釦スイッチと、
前記押し釦スイッチが半押し操作されたときに、スイッチ支持台に基端部が軸着されて片持梁状に形成された自由端部側が前記操作柱に押下されて弾性変形しＧＮＤ接片に接触して合焦動作用のスイッチをＯＮ状態とするように構成された合焦動作スイッチ接片と、
前記押し釦スイッチが半押し操作からさらに全押し操作されたときに、前記操作柱に押下された合焦動作スイッチ接片と、前記スイッチ支持台に基端部が固定された片持梁状に形成されているＧＮＤ接片が弾性変形して接触することにより撮影動作用のスイッチをＯＮ状態とするように構成された撮影動作スイッチ接片と、
前記押し釦スイッチの周りを回動するよう操作されることにより静止画撮影モードと動画撮影モードとを切り換え可能に構成された、回動操作部を有する回動スイッチと、
前記回動操作部から突設され、前記合焦動作スイッチ接片に穿設された従動穴に挿通された突起部と、
を備え、
前記回動スイッチが動画撮影モードの位置に回動操作されたときに、前記突起部が挿通された前記従動穴を介して前記合焦動作スイッチ接片を連動して、前記合焦動作スイッチ接片を前記押し釦スイッチの操作柱の動作範囲内から離脱させるように構成したことを特徴とする撮影操作装置を搭載した撮像装置。
【発明の詳細な説明】
【技術分野】
【０００１】
本発明は、静止画および動画撮影が可能な撮像装置における、操作性を改良した撮影操作装置を搭載した撮像装置に関する。
【背景技術】
【０００２】
一般に、静止画及び動画撮影が可能な撮像装置において静止画を撮影する時には、その時々の最適な焦点距離で静止画を記録する必要があるため、合焦動作を撮影の度に行うことが望ましい。このため、静止画および動画撮影が可能な撮像装置では、合焦動作に対応した合焦動作スイッチと、撮影動作に対応した撮影動作スイッチと、合焦動作時の操作感触付与手段と、撮影動作時の操作感触付与手段とを備えたものがある。
【０００３】
しかし、このような静止画及び動画撮影が可能な撮像装置では、動画を撮影する時に常に所望の被写体に焦点を合わせ続けているため、動画撮影中に静止画を撮影する際に改めて撮像装置に合焦動作をさせる必要がない。なお、この静止画及び動画撮影が可能な撮像装置で動画撮影中に改めて合焦動作をさせた場合には、撮影レンズを焦点検出のため駆動している間、撮像装置が焦点の合っていない動画を記録してしまうという不都合を生じる。また、この場合には、撮影レンズを焦点検出のため駆動する時間を要するので、撮影者が所望する被写体のシャッターチャンスを逃してしまう恐れがある。
【特許文献１】特開平９−７３８４３号公報
【特許文献２】特開２００６−１３９２９４号公報
【発明の開示】
【発明が解決しようとする課題】
【０００４】
そこで、静止画および動画撮影が可能な撮像装置では、動画撮影中に静止画撮影を実行するために、以下のように対応するよう構成することが考えられる。
【０００５】
第１に、静止画および動画撮影が可能な撮像装置では、動画撮影中に静止画撮影を行う場合に、半押状態とされたときに合焦動作を行い全押状態とされたときに静止画撮影を行う静止画撮影釦を割り当てるように構成する。
【０００６】
第２に、静止画および動画撮影が可能な撮像装置では、動画撮影中に静止画を撮影する為の釦を別途設ける。
【０００７】
しかし、前述の第１の構成では、撮像装置がすでに動画撮影中のための合焦動作をしつづけているにもかかわらず、撮影用操作部材の操作時に操作させる必要の無い合焦動作スイッチの操作感触を撮影者に与えてしまう。
【０００８】
また、第２の構成では、「静止画の撮影」という同じ動作に対して、動画撮影中か否かの場合に応じて、撮影者に異なる操作部材を操作させることとなる。このため、撮影者は、動画撮影時の静止画撮影用操作部材と、動画撮影時以外の静止画撮影用操作部材とを、動画撮影時か否かを判別して操作仕分けなければならなくなり、操作が煩雑で誤操作の原因となり易い。
【０００９】
本発明の目的は、静止画および動画撮影が可能な撮像装置において、撮影者が、動画撮影中に静止画撮影を実行するための撮影操作装置を適切に操作できるようにする。これと共に、合焦済みの状態から直ちに静止画を撮影する撮影モードに適した操作感触を撮影者に与えられるようにした撮影操作装置を搭載した撮像装置を提供することを目的とする。
【課題を解決するための手段】
【００１０】
上記目的を達成するために、請求項１に記載の撮影操作装置を搭載した撮像装置は、操作柱を設けた押し釦スイッチと、前記押し釦スイッチが半押し操作されたときに、前記操作柱に押下されて弾性変形しＧＮＤ接片に接触して合焦動作用のスイッチをＯＮ状態とするように構成された合焦動作スイッチ接片と、前記押し釦スイッチが半押し操作からさらに全押し操作されたときに、前記操作柱に押下された合焦動作スイッチ接片及びＧＮＤ接片が弾性変形して接触することにより撮影動作用のスイッチをＯＮ状態とするように構成された撮影動作スイッチ接片と、前記押し釦スイッチの周りを回動するよう操作されることにより静止画撮影モードと動画撮影モードとを切り換え可能に構成された、回動操作部を有する回動スイッチと、前記回動操作部から前記合焦動作スイッチ接片に対向するように突設されたカム部の自由端面部に形成されたカム面と、を備え、前記回動スイッチが動画撮影モードの位置に回動操作されたときに、前記カム部の前記カム面が前記合焦動作スイッチ接片に摺接して弾性変形させることにより、前記ＧＮＤ接片に接触させて合焦動作用のスイッチをＯＮとした状態に設定するよう構成したことを特徴とする。
【００１１】
上記目的を達成するために、請求項３に記載の撮影操作装置を搭載した撮像装置は、操作柱を設けた押し釦スイッチと、前記押し釦スイッチが半押し操作されたときに、スイッチ支持台に基端部が軸着されて片持梁状に形成された自由端部側が前記操作柱に押下されて弾性変形しＧＮＤ接片に接触して合焦動作用のスイッチをＯＮ状態とするように構成された合焦動作スイッチ接片と、前記押し釦スイッチが半押し操作からさらに全押し操作されたときに、前記操作柱に押下された合焦動作スイッチ接片と、前記スイッチ支持台に基端部が固定された片持梁状に形成されているＧＮＤ接片が弾性変形して接触することにより撮影動作用のスイッチをＯＮ状態とするように構成された撮影動作スイッチ接片と、前記押し釦スイッチの周りを回動するよう操作されることにより静止画撮影モードと動画撮影モードとを切り換え可能に構成された、回動操作部を有する回動スイッチと、前記回動操作部から突設され、前記合焦動作スイッチ接片に穿設された従動穴に挿通された突起部と、を備え、前記回動スイッチが動画撮影モードの位置に回動操作されたときに、前記突起部が挿通された前記従動穴を介して前記合焦動作スイッチ接片を連動して、前記合焦動作スイッチ接片を前記押し釦スイッチの操作柱の動作範囲内から離脱させるように構成したことを特徴とする。
【発明の効果】
【００１２】
本発明によれば、静止画および動画撮影が可能な撮像装置において、撮影者は、動画撮影中に静止画撮影を実行するために撮影操作装置を操作する。このとき操作された撮影操作装置は、操作させる必要の無い合焦動作スイッチの操作感触を撮影者に与えることなく、静止画の撮影動作を実行する。よって、撮影者が操作し易くかつ撮影モードに適した操作感触を撮影者に与える撮影操作装置を備えた撮像装置を提供することができる。
【発明を実施するための最良の形態】
【００１３】
（第１実施の形態）
以下、本発明を実施するための最良の形態に係わる第１の実施の形態について図１乃至図６を参照しながら説明する。
【００１４】
図１は、本発明の第１実施の形態に係わる撮像装置が静止画撮影モードの状態にあるときの撮影用操作ボタン周囲を取り出して示す断面図である。
【００１５】
図２は、本発明の第１実施の形態に係わる撮像装置が動画撮影モードの状態にあるときの撮影用操作ボタン周囲を取り出して示す断面図である。
【００１６】
図３は、本発明の第１実施の形態に係わる撮像装置が静止画撮影モードの状態にあるときの撮影用操作ボタンの部分を取り出して示す側面図である。
【００１７】
図４は、本発明の第１実施の形態に係わる撮像装置が静止画撮影モードの状態にあるときの撮影用操作ボタンの部分を取り出して示す底面図である。
【００１８】
図５は、本発明の第１実施の形態に係わる撮像装置が動画撮影モードの状態にあるときの撮影用操作ボタンの部分を取り出して示す側面図である。
【００１９】
図６は、本発明の第１実施の形態に係わる撮像装置が動画撮影モードの状態にあるときの撮影用操作ボタンの部分を取り出して示す底面図である。
【００２０】
本実施の形態に係わる撮影操作装置を搭載した撮像装置は、動画撮影機能と、静止画撮影機能とを備える。さらに、この静止画撮影機能は、動画撮影中に静止画を撮影することが可能に構成されている。
【００２１】
また、この撮像装置は、一般に用いられている位相差ＡＦの機能と、コントラストＡＦの機能とを備える。さらに、この撮像装置では、所要のときに、予め設定された条件に対応して選択された位相差ＡＦ又はコントラストＡＦを実行してオートフォーカス動作を実行するように構成されている。これにより、この撮像装置は、選択された位相差ＡＦ又はコントラストＡＦの機能により被写体の画像を合焦させて、動画撮影又は静止画撮影を行うように構成されている。なお、この撮像装置では、静止画撮影時に主に位相差ＡＦの機能を利用し、動画撮影時に主にコントラストＡＦの機能を利用するように構成されている。
【００２２】
また、この撮像装置では、動画撮影中に静止画撮影を行う場合に、動画撮影の為にコントラストＡＦが実行中であるので、このコントラストＡＦで合焦された状態で静止画撮影を行うように構成されている。
【００２３】
この撮影操作装置を搭載した撮像装置では、撮影操作装置として、半押し状態で合焦動作スイッチをＯＮ動作し、かつ全押し動作で撮影動作をＯＮ動作するいわゆるシャッタレリーズボタンであるレリーズ釦（押し釦スイッチ）１を備える。これと共に、この撮影操作装置は、レリーズ釦（押し釦スイッチ）１の周囲に、撮影モードの切り換えレバー（回動スイッチ）６を、回動操作可能に装着して構成する。
【００２４】
この撮影モードの切り換えレバー６は、撮像装置５のハウジングの円形開口部に、円板状に形成した回動操作部を回動可能に装着して配置する。この撮影モードの切り換えレバー６は、静止画撮影モード切り換え位置と、これから所定角度回動した動画撮影モード切り換え位置との間を回動可能に構成されている。さらに、この撮影モードの切り換えレバー（回動スイッチ）６は、一般に用いられているクリックストップ機構７によって、静止画撮影モード切り換え位置と、動画撮影モード切り換え位置とにおいて、仮留めされるように構成されている。このクリックストップ機構７は、ばね部材で球体を撮影モードの切り換えレバー６の外周面に圧接させるように構成されている。この撮影モードの切り換えレバー６の外周面には、静止画撮影モード切り換え位置と、動画撮影モード切り換え位置とに対応して、クリックストップ機構７の球体が嵌まる凹部が形成されている。これによりクリックストップ機構７は、球体が撮影モードの切り換えレバー６の凹部に嵌まったときに仮止め状態となるように構成されている。さらに、撮影モードの切り換えレバー６の凹部から球体が離脱するときの抵抗によって、クリック感を操作者に与えるように構成されている。
【００２５】
この撮像装置に装着される撮影操作装置におけるレリーズ釦１は、撮像装置のハウジングの所定箇所に、表面側に突出した初期状態の位置から、半押し位置を経て全押し位置に至るまで、押下動作可能に構成されている。
【００２６】
このレリーズ釦１は、その底面中央部に操作柱１aが突設されている。また、このレリーズ釦１が押下操作されたときの操作柱１aの移動軌跡上には、操作柱１aの動作方向に沿って順に、合焦動作スイッチ接片３、ＧＮＤ接片２、撮影動作スイッチ接片４を、基端部が固定された片持梁状に構成して配置する。
【００２７】
このレリーズ釦１では、初期状態のときに、各接片間に十分な距離が設定されている。また、このレリーズ釦１は、押下されていない初期状態のときに、撮像装置５における合焦動作ＳＷ１がＯＦＦ状態となり、かつ撮影動作ＳＷ２がＯＦＦ状態となるように設定されている。
【００２８】
このため、このレリーズ釦１では、半押し位置まで押下操作されたときに、レリーズ釦１（撮影用操作ボタン）の操作柱１aによりＧＮＤ接片２の自由端部側が押し下げられて合焦動作スイッチ接片３に接地し、ＳＷ（スイッチ）１がＯＮの状態となる。このＳＷ１がＯＮ状態とされたときに発生する信号を受けた撮像装置の図示しない制御部によって、合焦動作の制御が実行される。
【００２９】
さらに、レリーズ釦１が半押し位置から全押し位置まで押下されると、ＧＮＤ接片２と、合焦動作スイッチ接片３とは、さらに弾性変形して押し下げられ、撮影動作スイッチ接片４が接地してＳＷ（スイッチ）２がＯＮ状態となる。このＳＷ２がＯＮ状態とされたときに発生する信号を受けた撮像装置の図示しない制御部によって、撮影動作の制御が実行される。
【００３０】
このレリーズ釦１の周囲に装着される撮影モードの切り換えレバー６には、撮影モードの切り換えレバー６の回転角を検知する位相接片８と合焦動作スイッチ接片３からＧＮＤ接片２までのストロークを変動できるカム部９が設けられている。
【００３１】
このカム部９は、撮影モードの切り換えレバー６の下面から円弧状に突設された突片の自由端面部にカム面を形成して構成する。
【００３２】
この撮影モードの切り換えレバー（回動スイッチ）６は、静止画撮影モードの位置から動画撮影モードの位置に移動したときに、位相接片８が静止画撮影ＯＮの位置から動画撮影ＯＮの位置に切り換わるように構成されている。
【００３３】
また、撮影モードの切り換えレバー６の下面に設けられたカム部９には、動画撮影モードの位置に移動する動作に従って、ＧＮＤ接片２に摺接して合焦動作スイッチ接片３に接地させるように移動させるカム面が構成されている。このカム部９のカム面は、撮影モードの切り換えレバー６を静止画撮影モードの位置から動画撮影モードの位置に回動するときの回動方向先端から後端にかけて斜状に突出する形状に形成する。すなわち、カム部９のカム面は、動画撮影モードの位置に向かう回動方向先端から後端にかけて、撮影モードの切り換えレバー６の底面から徐々に離れる滑らかな斜面に形成する。
【００３４】
この撮影モードの切り換えレバー６が動画撮影モードの位置に移動すると、撮像装置５が位相接片８の検出により動画撮影モードに切り換わるので、撮像装置５は合焦動作を継続する状態となる。
【００３５】
この撮影モードの切り換えレバー６が動画撮影モードにセットされて合焦動作が継続される状態では、レリーズ釦１の押下動作により、ＧＮＤ接片２と合焦動作スイッチ接片３とが同時に押し下げられる。そしてレリーズ釦１の押下動作に従ってＧＮＤ接片２と合焦動作用のスイッチである合焦動作スイッチ接片３とは、撮影動作用のスイッチである撮影動作スイッチ接片４に接地するまで一体的に弾性変形してスムーズに動作する。すなわち、レリーズ釦１の押下動作に伴って、レリーズ釦１は、ＧＮＤ接片２と合焦動作スイッチ接片３から、滑らかに連続して増加する（正比例で増加する）反力を受けることになる。
【００３６】
よって、使用者は、レリーズ釦１を全押し状態まで違和感無く押し下げることができる。すなわち、この場合には、使用者がレリーズ釦１を全押し状態まで押下するときに、半押し状態を通過したことを感じないようにして、撮影モードに適した操作感を与えることができる。
【００３７】
このため、撮像装置に、この撮影操作装置を搭載した場合には、使用者がレリーズ釦１を押下する際に、使用者に撮影モードに対応した適切な操作感を与えることができる。
【００３８】
（第２実施の形態）
次に、本発明を実施するための最良の形態に係わる第２の実施の形態について図７乃至図１２を参照しながら説明する。
【００３９】
図７は、本発明の第２実施の形態に係わる撮像装置が静止画撮影モードの状態にあるときの撮影用操作ボタン周囲を取り出して示す断面図である。
【００４０】
図８は、本発明の第２実施の形態に係わる撮像装置が動画撮影モードの状態にあるときの撮影用操作ボタン周囲を取り出して示す断面図である。
【００４１】
図９は、本発明の第２実施の形態に係わる撮像装置が静止画撮影モードの状態にあるときの撮影用操作ボタンの部分を取り出して示す側面図である。
【００４２】
図１０は、本発明の第２実施の形態に係わる撮像装置が静止画撮影モードの状態にあるときの撮影用操作ボタンの部分を取り出して示す底面図である。
【００４３】
図１１は、本発明の第２実施の形態に係わる撮像装置が動画撮影モードの状態にあるときの撮影用操作ボタンの部分を取り出して示す側面図である。
【００４４】
図１２は、本発明の第２実施の形態に係わる撮像装置が動画撮影モードの状態にあるときの撮影用操作ボタンの部分を取り出して示す底面図である。
【００４５】
本第２実施の形態では、動画撮影モードの状態に移行するときに、レリーズ釦１の操作柱１aで操作される位置にあった合焦動作用のスイッチである合焦動作スイッチ接片３を操作柱１aの動作範囲内から離脱させるように構成する。さらに、この合焦動作スイッチ接片３は、撮影モードの切り換えレバー６を静止画撮影モードの位置から動画撮影モードの位置に移動させる動作に連動して、操作柱１aの動作範囲内から離脱されるように構成する。
【００４６】
このため、この撮像装置に搭載された撮影操作装置では、レリーズ釦１が押下操作されたときの操作柱１aの移動方向に沿って順に、合焦動作スイッチ接片３、ＧＮＤ接片２、撮影動作スイッチ接片４を基端部が固定された片持梁状に構成して配置する。
【００４７】
すなわち、この撮影操作装置では、合焦動作スイッチ接片３を最もレリーズ釦１に接近した位置に配置する。これと共に、この撮影操作装置では、合焦動作スイッチ接片３を長板状に形成する。
【００４８】
この合焦動作スイッチ接片３は、その基端部をスイッチ支持台１１の支軸に対して所定角度回動可能に軸着することにより片持梁状に支持された状態で設置する。この合焦動作スイッチ接片３の長板状に形成された中間胴部には、長穴状の従動穴１２を穿設する。
【００４９】
また、この撮影操作装置では、レリーズ釦１の底面（合焦動作スイッチ接片３に対向する面）における従動穴１２に対応した所定位置に、操作ピンである突起部１０を立設する。この突起部１０の自由端部は、従動穴１２内に移動可能に挿通する。
【００５０】
このように構成した撮影操作装置では、撮影モードの切り換えレバー６を静止画撮影モード切り換え位置から所定角度回動した動画撮影モード切り換え位置へ移動する動作に連動して、合焦動作スイッチ接片３を移動させる。すなわち、撮影モードの切り換えレバー６が動画撮影モード切り換え位置へ回動する際に、従動穴１２内に移動可能に挿通された操作ピンである突起部１０を介して、合焦動作スイッチ接片３がスイッチ支持台１１の支軸の周りに所定角度回動する。これにより、合焦動作スイッチ接片３は、レリーズ釦１の操作柱１aが移動する範囲から離脱する。
【００５１】
また、この撮像装置５では、撮影モードの切り換えレバー６が動画撮影モード切り換え位置へ回動する動作に伴って、位相接片８が動画撮影モード検出位置に移動する。すると、この撮像装置５では、図示しないセンサにより、位相接片８が動画撮影モード切り換え位置にあることを検出し、制御部が動画撮影モードに切り換えて、常に合焦動作をしつづける。
【００５２】
この動画撮影モード状態でレリーズ釦１を押下すると、レリーズ釦１の操作柱１aの先端は、直接に基端部が固定された片持梁状のＧＮＤ接片２の自由端部側に当接し、さらに押し操作してＧＮＤ接片２を弾性変形させる。このレリーズ釦１の操作柱１aに押し曲げられたＧＮＤ接片２は、撮影動作用のスイッチである撮影動作スイッチ接片４に圧接して、撮影動作スイッチ接片４が接地されてＯＮ状態となり、動画撮影モードで常に合焦されている状態で撮影処理が行われる。
【００５３】
また、この撮像装置に搭載された撮影操作装置では、撮影モードの切り換えレバー６を静止画撮影モード切り換え位置にセットすると、これに連動して合焦動作スイッチ接片３が、操作柱１aの動作範囲内に復帰する。
【００５４】
よって、この撮影操作装置では、静止画撮影モードでレリーズ釦１を、半押し状態まで押下すると、レリーズ釦１の操作柱１aが、まず合焦動作スイッチ接片３に当接して弾性変形させることによりＧＮＤ接片２に接触させる。すると、合焦動作スイッチ接片３は、接地されてＯＮ状態となり、合焦動作が行われる。
【００５５】
次に、この撮影操作装置では、レリーズ釦１を全押し状態まで押下すると、操作柱１aが合焦動作スイッチ接片３及びＧＮＤ接片２を押し曲げるように弾性変形させて、撮影動作用のスイッチである撮影動作スイッチ接片４に圧接させる。これにより、基端部が固定された片持梁状の撮影動作スイッチ接片４は、接地されてＯＮ状態となり、静止画撮影モードでの撮影処理が行われる。
【００５６】
以上より、この撮影操作装置を搭載した撮像装置では、動画撮影モードで静止画撮影を行うときに、使用者が、レリーズ釦１を全押し状態まで違和感無く押し下げることができる。すなわち、この場合には、使用者がレリーズ釦１を全押し状態まで押下するときに、半押し状態を通過したことを感じないようにして、撮影モードに適した操作感を与えるようにできる。
【００５７】
よって、撮像装置に、この撮影操作装置を搭載した場合には、使用者がレリーズ釦１を押下する際に、使用者に撮影モードに対応した適切な操作感を与えることができる。
【００５８】
なお、本第２の実施の形態における以上説明した以外の構成、作用及び効果は、前述した第１の実施の形態と同様であるので、その説明を省略する。
【図面の簡単な説明】
【００５９】
【図１】本発明の第１実施の形態に係わる撮像装置が静止画撮影モードの状態にあるときの撮影用操作ボタン周囲を取り出して示す断面図である。
【図２】本発明の第１実施の形態に係わる撮像装置が動画撮影モードの状態にあるときの撮影用操作ボタン周囲を取り出して示す断面図である。
【図３】本発明の第１実施の形態に係わる撮像装置が静止画撮影モードの状態にあるときの撮影用操作ボタンの部分を取り出して示す側面図である。
【図４】本発明の第１実施の形態に係わる撮像装置が静止画撮影モードの状態にあるときの撮影用操作ボタンの部分を取り出して示す底面図である。
【図５】本発明の第１実施の形態に係わる撮像装置が動画撮影モードの状態にあるときの撮影用操作ボタンの部分を取り出して示す側面図である。
【図６】本発明の第１実施の形態に係わる撮像装置が動画撮影モードの状態にあるときの撮影用操作ボタンの部分を取り出して示す底面図である。
【図７】本発明の第２実施の形態に係わる撮像装置が静止画撮影モードの状態にあるときの撮影用操作ボタン周囲を取り出して示す断面図である。
【図８】本発明の第２実施の形態に係わる撮像装置が動画撮影モードの状態にあるときの撮影用操作ボタン周囲を取り出して示す断面図である。
【図９】本発明の第２実施の形態に係わる撮像装置が静止画撮影モードの状態にあるときの撮影用操作ボタンの部分を取り出して示す側面図である。
【図１０】本発明の第２実施の形態に係わる撮像装置が静止画撮影モードの状態にあるときの撮影用操作ボタンの部分を取り出して示す底面図である。
【図１１】本発明の第２実施の形態に係わる撮像装置が動画撮影モードの状態にあるときの撮影用操作ボタンの部分を取り出して示す側面図である。
【図１２】本発明の第２実施の形態に係わる撮像装置が動画撮影モードの状態にあるときの撮影用操作ボタンの部分を取り出して示す底面図である。
【符号の説明】
【００６０】
１  レリーズ釦（撮影用操作ボタン）
１a  操作柱
２  ＧＮＤ接片
３  合焦動作スイッチ接片
４  撮影動作スイッチ接片
５  撮像装置
６  撮影モードの切り換えレバー
７  クリックストップ機構
８  位相接片
９  カム（ストローク変更カム）
１０  突起部（撮影モードの切り換えレバー突起部）
１１  スイッチ支持台
１２  従動穴
【図１】
2010134031.tif 000003
【図２】
2010134031.tif 000004
【図３】
2010134031.tif 000005
【図４】
2010134031.tif 000006
【図５】
2010134031.tif 000007
【図６】
2010134031.tif 000008
【図７】
2010134031.tif 000009
【図８】
2010134031.tif 000010
【図９】
2010134031.tif 000011
【図１０】
2010134031.tif 000012
【図１１】
2010134031.tif 000013
【図１２】
2010134031.tif 000014